(57)【要約】【課題】手掛け穴を有する搬送容器を簡便に防塵タイプに変更できる搬送容器の防塵手掛けを提供する。【解決手段】通い箱など物品の搬送に使用される搬送容器は側壁の外側面に補強用の縦リブと横リブを有する合成樹脂製のものが広く使用されている。この搬送容器は、対向する側壁に楕円状の大きな手掛け穴が設けられており、防塵が要求される部品の搬送には使用できない。  本考案は、搬送容器の対向する側壁に設けられた手掛け穴を、側壁の内側から板状の受材１１で塞ぎ、受材１１に設けた係止孔１４に嵌結する凸材１７を備えるとともに該手掛け穴の周囲の横リブ６，７を挟み込むＵ字状部材１８，１９を備えた手掛け部材１５を外側から取り付けるようにした。【選択図】  図４
0003124271.tif 000002
【実用新案登録請求の範囲】
【請求項１】
側壁の外側面に補強用の縦リブと横リブを有する合成樹脂製の搬送容器の対向する側壁に設けられた手掛け穴を、該側壁の内側から板状の受材で塞ぐとともに外側に手掛け部を形成する手掛け部材を取り付けた脱着可能な防塵手掛けであって、該手掛け部材は該受材に設けた係止孔に嵌結する凸材を備えるとともに該手掛け穴の周囲の横リブを挟み込むＵ字状部材を備えたことを特徴とする搬送容器の防塵手掛け。
【請求項２】
前記受材は、手掛け穴に嵌合する突出部を形成したことを特徴とする請求項１記載の搬送容器の防塵手掛け。
【考案の詳細な説明】
【技術分野】
【０００１】
本考案は、合成樹脂製の搬送容器に付設される防塵手掛けに関するものである。
【背景技術】
【０００２】
従来、通い箱など物品の搬送に使用される搬送容器は、軽量で耐久性のある合成樹脂製のものが多く使用され、搬送する物品に適した形状構造に製作したもののほか、種々の部品に適用できる汎用的なものも見られる。例えば、自動車のパーツの搬送では図５に示すように、外周に縦リブと横リブで補強し、重ね積みができるように底部に嵌合部材を設け、対向する側壁に手幅より大きめの手掛け穴を設けた直方体状のものが使用されている。そして、パーツを収納するときは、格子状に区画する仕切り部材を嵌装している。
この搬送容器は、大量に使用され扱い易く安価であるが、大きく開放された手掛け穴があるため塵埃を嫌う物品の場合には使用できない。なお、物品を包装して収納することも考えられるが、包装材の着脱や廃棄が煩雑である。
【０００３】
一方、防塵タイプの搬送容器としては、側壁を２重構造として、外側の壁にのみ手掛け穴を形成したものがある（例えば、特許文献１）。
【０００４】
【特許文献１】特開２０００−６９６５号公報。
【考案の開示】
【考案が解決しようとする課題】
【０００５】
特許文献１の搬送容器は、防塵の点では満足できるものの、金型費用が高価なので新たに作るのは難しく、また、市販には、適当な大きさのものがなく、しかも高価である。さらに、防塵タイプのものを別途所有することは、保管スペースも多く必要とするといった問題がある。
【０００６】
そこで、本考案は、手掛け穴を有する搬送容器を簡便に防塵タイプに変更できる搬送容器の防塵手掛けを提供することを目的としている。
【課題を解決するための手段】
【０００７】
本考案の搬送容器の防塵手掛けは、上記の目的を達成するため次の手段を採った。すなわち、側壁の外側面に補強用の縦リブと横リブを有する合成樹脂製の搬送容器の対向する側壁に設けられた手掛け穴を、該側壁の内側から板状の受材で塞ぐとともに外側に手掛け部を形成する手掛け部材を取り付けた脱着可能な防塵手掛けであって、該手掛け部材は該受材に設けた係止孔に嵌結する凸材を備えるとともに該手掛け穴の周囲の横リブを挟み込むＵ字状部材を備えたことを特徴としている。
【０００８】
受部材および手掛け部材は合成樹脂製とし、手掛け穴に対していずれかが嵌合するようにすればよいが、請求項２に記載のように、受材は手掛け穴に嵌合する突出部を形成するのが望ましい。
係止孔は手掛け部材が受材に強固に固着されるように凸材の径より僅かに小さくするとよい。また、手掛け部材の凸材が容器の内面に突出しないようにするのが望ましい。
【０００９】
Ｕ字状部材は、横リブが手掛け穴の上端と下端にある場合は、両者を挟み込むように２個付設したものとするのが望ましく、上端にのみ横リブがある場合は、１個とすればよい。なお、上側のＵ字状部材は手掛け部となるので、滑り止め用の横溝を付設するとよい。
【考案の効果】
【００１０】
本考案の搬送容器の防塵手掛けは、上記説明したように、搬送容器の対向する側壁に設けられた手掛け穴を、側壁の内側から板状の受材で塞ぎ、受材に設けた係止孔に嵌結する凸材を備えるとともに該手掛け穴の周囲の横リブを挟み込むＵ字状部材を備えた手掛け部材を外側から取り付けるようにしたので、簡便に防塵手掛けにでき、必要な都度取り外して手掛け穴のものに変更できる。したがって、別途防塵タイプの搬送容器を購入しなくてもよいので、極めて経済的である。また、手掛け部はＵ字状部材で補強されているので、手が横リブの角に直接当たることがなく持ち易いという実用上の効果もある。
また、受材は、請求項２に記載のように、手掛け穴に嵌合する突出部を形成したものとすれば、受材が手掛け穴に係止され強固な手掛けにできる。
【考案を実施するための最良の形態】
【００１１】
本考案の搬送容器の防塵手掛けの実施の形態を、図１〜図５に基づいて以下に具体的に説明する。
図５は、本考案の実施例の防塵手掛けを取り付ける対象である搬送容器１の全体を示す斜視図である。主に自動車の部品の搬送に使用されており、大量に生産されている。搬送容器１は、段積みできるように上部が開放された直方体状であり、四方の側壁の外面には補強用の縦リブ４と横リブ５が一体に付設されている。そして、側壁２および対向する側壁の上部には掌が入る程度の手掛け穴３が設けられており、その周囲には横リブ６，７と縦リブで囲まれている。
また、段積時の安定のために、搬送容器１の上部開口の外周部にフランジを形成し、底部下面に他の搬送容器１の上部開口部に嵌り込む形状のフランジを一体的に形成している。
【００１２】
本考案の搬送容器の防塵手掛けは、この手掛け穴３に受材１１と手掛け部材１５を取り付けて形成される。
受材１１は、図２（ａ）（ｂ）に示すように、矩形状の基材部１２の中央部に凹部１１ａを形成し、凹部１１ａの両端付近に係止孔１４が穿設されている。裏面側は、図２（ｂ）に示すように中央部が突出した状態であり、この突出部１３の外形寸法は、手掛け穴３と同寸法としている。
【００１３】
一方、手掛け部材１５は、図３（ａ）（ｂ）に示すように、受材１１の突出部１３とほぼ同寸法の矩形状の基材部１６の両端にＵ字状部材１８、１９が一体に成形されている。そして、基材部１６には前記受材１１の係止孔１４に嵌結する凸材１７が２個突設されている。なお、凸材１７の長さは、受材１１の係止孔１４に嵌結したとき、受材１１の厚さ内に収まる寸法としている。
【００１４】
搬送容器の防塵手掛けは上記のように構成されているので、防塵が要求される部品を搬送する場合は、図４に示すように、搬送容器１の内側から受材１１を手掛け穴３に突出部１３を嵌合させ、搬送容器１の外側から手掛け部材１５をそのＵ字状部材１８、１９が手掛け穴３の上端と下端に付設された横リブ６，７を挟んで押し込む。そして、凸材１７を受材１１の係止孔１４に嵌結させる。
【００１５】
これにより、側壁２と受材１１と手掛け部材１５が密接して固着し、中材１３と側壁２の内側面と側壁２の外側面と基材１６の内側面が強固に密接し、手掛け穴３を塞ぐとともに持ち易い手掛け部が形成される。図１は防塵手掛けが取り付けられた状態の斜視図を示しているが、デザイン的にも優れたものといえる。
一方、防塵が必要とされない部品の搬送の場合は、さほど重量のないものである場合は、本考案の防塵手掛けを取り付けたままで搬送してもよいが、重量のある場合は、手掛け部材を取り外して使用する。
【図面の簡単な説明】
【００１６】
【図１】本考案の搬送容器の防塵手掛けの実施の形態を示す斜視図である。
【図２】同、受材を示す斜視図であり、（ａ）は上から見たもので、（ｂ）は下から見たものである。
【図３】同、手掛け部材を示す斜視図であり、（ａ）は上から見たもので、（ｂ）は下から見たものである。
【図４】同、防塵手掛けを搬送容器へ取り付けた状態を示す断面図である。
【図５】搬送容器の斜視図である。
【符号の説明】
【００１７】
１  搬送容器
２  側壁
３  手掛け穴
４  縦リブ
５  横リブ
６  横リブ
７  横リブ
１１  受材
１１ａ  凹部
１２  基材部
１３  突出部
１４  係止孔
１５  手掛け部材
１６  基材部
１７  凸材
１８  Ｕ字状部材
１９  Ｕ字状部材
【図１】
0003124271.tif 000003
【図２】
0003124271.tif 000004
【図３】
0003124271.tif 000005
【図４】
0003124271.tif 000006
【図５】
0003124271.tif 000007